(57)【要約】【課題】外観が良好であるとともに、容易に組み立てを行うことができる電子楽器システムおよび電子楽器用スタンドを提供する。【解決手段】タムパッド２５は、打面３とフレーム７と、クランプカバー８とを備え、クランプカバー８には、センサ出力を出力するためのジャック９が備えられている。  クランプカバー８、アームパイプ２０をフレーム７との間に握持する保持具であり、アームパイプ２０を握持する部分より下方の部分（以下、固定部と称す）は、３つのネジによりフレーム７に固定され、アームパイプ２０を握持する部分より上方の部分（以下、握持部８ｂと称す）は、ボルト１０によりフレーム７に螺着される。図２（ａ）は、ボルト１０により握持部８ｂがフレーム７に螺着され、握持部８ｂの上端は、フレーム７に密着した状態を示し、図２（ｂ）は、ボルト１０が握持部８ｂより離脱され、握持部の上端は、フレーム７から離間した状態を示す。【選択図】図２
2008170644.tif 000002
【特許請求の範囲】
【請求項１】
断面が円形の中空パイプと、その中空パイプを握持する保持具を有する電子楽器とから成る電子楽器システムにおいて、
中空パイプは、中空パイプの外周面に開口部を有し、中空パイプの長手方向の全長に渡って断面が円形の溝が形成され、その溝の開口部の開口幅は、前記溝の内径より狭く形成され、前記溝の開口部に隣接し、開口部の長手方向に沿って凸部と凹部とが形成され、
前記保持具は、前記中空パイプの外周を握持するとともに、前記中空パイプの溝の開口部に隣接して形成された凸部と凹部とに嵌合する凹部と凸部とを備えていることを特徴とする電子楽器システム。
【請求項２】
前記保持具は、隣接する複数の凸部を備え、その複数の凸部が、前記溝の開口部に嵌合するとともに、複数の凸部の先端は、溝を形成する円内に入らないように形成されていることを特徴とする請求項１記載の電子楽器システム。
【請求項３】
前記保持具は、可撓性を有する樹脂により形成され、前記中空パイプの外周を握持するパイプ握持部を備え、そのパイプ握持部の一端に開口部が形成され、その開口部の開口幅を広げることにより、前記中空パイプに形成された凸部と凹部と、保持具に形成された凹部と凸部との嵌合を解除して前記保持具と前記中空パイプとの取付角度を変更することを可能とすることを特徴とする請求項１または２に記載の電子楽器システム。
【請求項４】
前記中空パイプは、アルミ押出成型法またはアルミ引出成型法により成型されていることを特徴とする請求項１から３のいずれかに記載の電子楽器システム。
【請求項５】
前記電子楽器は、ケーブルにより外部機器と通信を行い、前記溝の内径は、そのケーブルの外径より大きく、前記開口幅は、そのケーブルの外径より小さいことを特徴とする請求項１から４のいずれかに記載の電子楽器システム。
【請求項６】
前記溝の開口部は、中空パイプの長手方向に沿って、溝の両側に凸部と凹部とを形成し、前記保持具は、前記凸部と凹部とに嵌合される凸部と凹部とを備えていることを特徴とする請求項１から５のいずれかに記載の電子楽器システム。
【請求項７】
断面が円形の中空パイプを備えた電子楽器用スタンドにおいて、
中空パイプは、中空パイプの外周面に開口部を有し、中空パイプの長手方向の全長に渡って断面が略円形の溝が形成され、その溝の開口部の開口幅は、前記溝の内径より狭く形成され、前記溝の開口部には、中空パイプの長手方向に沿って凸部と凹部とが形成され、
前記溝には、電子楽器と外部機器とが通信を行うケーブルが収納され、
前記中空パイプの外周を保持するとともに、前記中空パイプの溝の開口部に形成された凸部と凹部とに嵌合する凹部と凸部とを備えた電子楽器を保持する保持具が嵌合されることを特徴とする電子楽器用スタンド。
【発明の詳細な説明】
【技術分野】
【０００１】
本発明は、電子楽器システムおよび電子楽器用スタンドに関し、特に外観が良好であるとともに使い勝手が良い電子楽器システムに関するものである。
【背景技術】
【０００２】
従来より、種々の電子楽器が提案されており、これらの電子楽器は、演奏を行い易くするためにスタンドなどに支持されて使用されるとともに、他の電子楽器と通信を行うためのケーブルが配線されている。
【０００３】
特に、電子打楽器は、スネアドラム、ハイハット、複数のタム、シンバルなどのそれぞれの機能を有するものをスタンドに組み付けて使用される。各電子打楽器には、センサが備えられ、センサにより打面などが打撃されて発生された電気信号は、それぞれ音源装置に入力される。
【０００４】
特開２００６−２５９１９３号公報（特許文献１）には、電子楽器をスタンドに取り付ける取付構造が開示されている。
【特許文献１】特開２００６−２５９１９３号公報
【発明の開示】
【発明が解決しようとする課題】
【０００５】
しかしながら、従来の電子楽器システムおよび電子楽器用スタンドでは、電子楽器から音源へ電気信号を送るためにそれぞれケーブルが必要であり、これらのケーブルを演奏の妨げにならないようにスタンドなどに結ぶなどしていたので、電子打楽器システムを組み上げるの時間を要するとともに、ケーブルが露出して見苦しいという問題点があった。
【０００６】
また、電子楽器をスタンドに組み付ける場合には、取付位置や電子打楽器の打面と演奏者との角度などを調整するのに時間を要するという問題点もあった。特に電子打楽器は、スティックなどにより打面が強打されるので、強固にスタンドに組み付けないと、演奏中に打面の角度が変わるという問題点もあった。
【０００７】
本発明は上述した問題点を解決するためになされたものであり、外観が良好であるとともに、容易に組み立てを行うことができる電子楽器システムおよび電子楽器用スタンドを提供することを目的としている。
【課題を解決するための手段】
【０００８】
この目的を達成するために、請求項１記載の電子楽器システムは、断面が円形の中空パイプと、その中空パイプを握持する保持具を有する電子楽器とから成るものであり、中空パイプは、中空パイプの外周面に開口部を有し、中空パイプの長手方向の全長に渡って断面が円形の溝が形成され、その溝の開口部の開口幅は、前記溝の内径より狭く形成され、前記溝の開口部に隣接し、開口部の長手方向に沿って凸部と凹部とが形成され、前記保持具は、前記中空パイプの外周を握持するとともに、前記中空パイプの溝の開口部に隣接して形成された凸部と凹部とに嵌合する凹部と凸部とを備えている。
【０００９】
請求項２記載の電子楽器システムは、請求項１記載の電子楽器システムにおいて、前記保持具は、隣接する複数の凸部を備え、その複数の凸部が、前記溝の開口部に嵌合するとともに、複数の凸部の先端は、溝を形成する円内に入らないように形成されている。
【００１０】
請求項３記載の電子楽器システムは、請求項１または２に記載の電子楽器システムにおいて、前記保持具は、可撓性を有する樹脂により形成され、前記中空パイプの外周を握持するパイプ握持部を備え、そのパイプ握持部の一端に開口部が形成され、その開口部の開口幅を広げることにより、前記中空パイプに形成された凸部と凹部と、保持具に形成された凹部と凸部との嵌合を解除して前記保持具と前記中空パイプとの取付角度を変更することを可能とする。
【００１１】
請求項４記載の電子楽器システムは、請求項１から３のいずれかに記載の電子楽器システムにおいて、前記中空パイプは、アルミ押出成型法またはアルミ引出成型法により成型されている。
【００１２】
請求項５記載の電子楽器システムは、請求項１から４のいずれかに記載の電子楽器システムにおいて、前記電子楽器は、ケーブルにより外部機器と通信を行い、前記溝の内径は、そのケーブルの外径より大きく、前記開口幅は、そのケーブルの外径より小さい。
【００１３】
請求項６記載の電子楽器システムは、請求項１から５のいずれかに記載の電子楽器システムにおいて、前記溝の開口部は、中空パイプの長手方向に沿って、溝の両側に凸部と凹部とを形成し、前記保持具は、前記凸部と凹部とに嵌合される凸部と凹部とを備えている。
【００１４】
請求項７記載の電子楽器用スタンドは、断面が円形の中空パイプを備えたものであり、中空パイプは、中空パイプの外周面に開口部を有し、中空パイプの長手方向の全長に渡って断面が略円形の溝が形成され、その溝の開口部の開口幅は、前記溝の内径より狭く形成され、前記溝の開口部には、中空パイプの長手方向に沿って凸部と凹部とが形成され、前記溝には、電子楽器と外部機器とが通信を行うケーブルが収納され、前記中空パイプの外周を保持するとともに、前記中空パイプの溝の開口部に形成された凸部と凹部とに嵌合する凹部と凸部とを備えた電子楽器を保持する保持具が嵌合される。
【発明の効果】
【００１５】
請求項１記載の電子楽器システムによれば、中空パイプは、中空パイプの外周面に開口部を有し、中空パイプの長手方向の全長に渡って断面が円形の溝が形成され、その溝の開口部の開口幅は、溝の内径より狭く形成され、溝の開口部に隣接し、開口部の長手方向に沿って凸部と凹部とが形成され、保持具は、中空パイプの外周を握持するとともに、中空パイプの溝の開口部に隣接して形成された凸部と凹部とに嵌合する凹部と凸部とを備えているので、中空パイプに形成された溝に電子楽器と他の電子楽器との通信を行うケーブルを収納することができるので、ケーブルが乱雑に配線されることがなく、外観が良好である。また、演奏の妨げにならないようにケーブルをスタンドに束縛するなどの組み立て時手間が省け、使い勝手がよいという効果がある。
【００１６】
また、中空パイプの開口部に隣接した凸部と凹部とが、保持具に形成された凹部と凸部とに嵌合されるので、演奏中に電子楽器の取付角度が変化することを防止することができる。
【００１７】
請求項２記載の電子楽器システムによれば、請求項１記載の電子楽器システムの奏する効果に加え、保持具は、隣接する複数の凸部を備え、その複数の凸部が、溝の開口部に嵌合するとともに、複数の凸部の先端は、溝を形成する円内に入らないように形成されているので、中空パイプの溝内にケーブルを収納するとともに、保持具に形成された複数の凸部が、その溝に嵌合って固定される場合と、溝の開口部に隣接する凸部と凹部とに嵌合って固定される場合とのいずれかに設定でき、電子楽器の取付角度を変化させることができるという効果がある。
【００１８】
請求項３記載の電子楽器システムによれば、請求項１または２に記載の電子楽器システムの奏する効果に加え、保持具は、可撓性を有する樹脂により形成され、中空パイプの外周を握持するパイプ握持部を備え、そのパイプ握持部の一端に開口部が形成され、その開口部の開口幅を広げることにより、中空パイプに形成された凸部と凹部と、保持具に形成された凹部と凸部との嵌合を解除して保持具と中空パイプとの取付角度を変更することを可能とするので、容易に保持具と中空パイプとの取付角度を変更することができるという効果がある。
【００１９】
請求項４記載の電子楽器システムによれば、請求項１から３のいずれかに記載の電子楽器システムの奏する効果に加え、中空パイプは、アルミ押出成型法またはアルミ引出成型法により成型されているので、中空パイプは、軽く、強度が高いとともに、成型が容易であるという効果がある。
【００２０】
請求項５記載の電子楽器システムによれば、請求項１から４のいずれかに記載の電子楽器システムの奏する効果に加え、電子楽器は、ケーブルにより外部機器と通信を行い、溝の内径は、そのケーブルの外径より大きく、開口幅は、そのケーブルの外径より小さいので、ケーブルを容易に溝内に収納できるとともに、振動などによる微弱な作用で溝から離脱することを防止することができる。
【００２１】
請求項６記載の電子楽器システムによれば、請求項１から５のいずれかに記載の電子楽器システムの奏する効果に加え、溝の開口部は、中空パイプの長手方向に沿って、溝の両側に凸部と凹部とを形成し、保持具は、凸部と凹部とに嵌合される凸部と凹部とを備えているので、溝の両側のいずれかの凸部と凹部とに、保持具の凸部と凹部とを嵌合い、電子楽器の取付角度を調節することができるという効果がある。
【００２２】
請求項７記載の電子楽器用スタンドによれば、中空パイプは、中空パイプの外周面に開口部を有し、中空パイプの長手方向の全長に渡って断面が略円形の溝が形成され、その溝の開口部の開口幅は、前記溝の内径より狭く形成され、前記溝の開口部には、中空パイプの長手方向に沿って凸部と凹部とが形成され、前記溝には、電子楽器と外部機器とが通信を行うケーブルが収納され、前記中空パイプの外周を保持するとともに、前記中空パイプの溝の開口部に形成された凸部と凹部とに嵌合する凹部と凸部とを備えた電子楽器を保持する保持具が嵌合されるので、ケーブルが乱雑に配線されることがなく、外観が良好である。また、演奏の妨げにならないようにケーブルをスタンドに束縛するなどの組み立て時手間が省け、使い勝手がよいという効果がある。
【００２３】
また、中空パイプの開口部に隣接した凸部と凹部とが、保持具に形成された凹部と凸部とに嵌合されるので、演奏中に電子楽器の取付角度が変化することを防止することができる。
【発明を実施するための最良の形態】
【００２４】
以下、本発明の好ましい実施形態について、添付図面を参照して説明する。本発明の電子楽器システム１は、電子楽器用スタンドに複数の電子打楽器が組み付けられるものである。
【００２５】
図１は、本発明の一実施形態である電子楽器システム１の外観正面図である。図１を参照して、電子楽器システム１の外観構成について説明する。電子楽器システム１は、図１に示すように、床面に設置される設置台３６と、その設置台３６の両側にパイプ３８を介して接続されるフットペダル４０と、設置台３６から床面に対して垂直に上方へ立設される２本のセンターパイプ３４と、そのセンターパイプ３４の上端を連結し、音源３０を載置する音源ホルダー３２と、センターパイプ３４に固着されアームパイプ２０を保持する４つのアームホルダー２２と、そのアームホルダー２２に保持され、センターパイプ３４に対して垂直であり、床面には水平方向に設置される４本のアームパイプ２０と、左右の上側アームパイプ２０にそれぞれ固着される２つのシンバルパッド５０と、上側の左右のアームパイプ２０と下右側のアームパイプ２０に固着される３つのタムパッド２５と、下左側のアームパイプ２０に固着されるハイハットシンバル５４と、左側センターパイプ３４に固着されるスネアパッド５６とを主に備えている。
【００２６】
電子楽器用スタンドは、設置台３６と、２本のセンターパイプ３４と、音源ホルダー３２と、４本のアームパイプ２０と、４つのアームホルダー２２と、２つのフットペダル４０と、パイプ３８とにより構成される。
【００２７】
フットペダル４０は、それぞれ、足の平により踏み込み操作されるペダル４２と、床面に設置されるペダル台４４とを備え、ペダル４２による操作は、内部に備えられたセンサにより検出され、センサの出力は、ケーブル１５（図４参照）により音源３０に入力される。左側のフットペダル４０は、ハイハット５４により模擬されるシンバルの開閉操作に使用され、右側のフットペダル４０は、バスドラム音の発生に使用される。
【００２８】
シンバル５０は、アームパイプ２０の先端に固着されたシンバルロッド５２の上端に揺動自在に装着され、ハイハット５４は、左下アームパイプ２０の先端に固着されている。
【００２９】
これらのシンバル５０およびハイハット５４は、円盤状の外形の上面がゴムにより形成されて打面を形成し、この打面の下部に、打面に加えられた振動を検出するセンサが備えられている。これらのセンサ出力は、それぞれ、ケーブル１５により音源３０に入力される。
【００３０】
スネアパッド５６は、スネアドラムを模擬するパッドであり、網目状のヘッドとそのヘッドの振動を検出するセンサが備えられている。また、３つのタムパッド２５は、タムドラムを模擬するパッドであり、ヘッドとセンサが備えられている。なお、タムパッド２５については、図３を参照してその詳細を後述する。
【００３１】
音源３０は、シンバル５０、ハイハット５４、スネアドラム５６、タムパッド２５、フットペダル４０のセンサ出力をそれぞれ入力し、センサに対応した音色の楽音信号を、センサが検出した振動のレベルに応じたレベルで発生する。これらの楽音信号は、図示しないアンプにより増幅され、スピーカにより放音される。
【００３２】
次に、図２を参照して、タムパッド２５がアームパイプ２０に取付られている状態について説明する。図２は、タムパッド２５がアームパイプ２０に取付られている状態を示す斜視図である。図２に示すように、アームパイプ２０の長手方向と、タムパッド２５の打面３とは、平行に取付けられる。タムパッド２５は、打面３とフレーム７と、クランプカバー８とを備え、クランプカバー８には、センサ出力を出力するためのジャック９が備えられている。
【００３３】
クランプカバー８、アームパイプ２０をフレーム７との間に握持する保持具であり、図２において、アームパイプ２０を握持する部分より下方の部分（以下、固定部８ａと称す。図５参照）は、３つのネジによりフレーム７に固定され、アームパイプ２０を握持する部分より上方の部分（以下、握持部８ｂと称す。図５参照）は、ボルト１０によりフレーム７に螺着される。図２（ａ）は、ボルト１０により握持部８ｂがフレーム７に螺着され、握持部８ｂの上端は、フレーム７に密着した状態を示し、図２（ｂ）は、ボルト１０が握持部８ｂより離脱され、握持部８ｂの上端は、フレーム７から離間して開口部を形成した状態を示す。
【００３４】
クランプカバー８は、可撓性を有する合成樹脂（ＡＢＳ）により形成され、ボルト１０が螺着された状態（ａ）では、８ｂがアームパイプ２０を強固に握持し、ボルト１０が緩められた状態（ｂ）では、アームパイプ２０を握持しない状態となり、アームパイプ２０とタムパッド２５との取付角度を任意に調整することができる。
【００３５】
次に、図３を参照して、タムパッド２５の構造について詳細に説明する。図３は、タムパッド２５の分解斜視図である。タムパッド２５は、打面３と、クッション４と、センサプレート５と、センサ６と、フレーム７と、クランプカバー８とを主に備えている。
【００３６】
打面３は、スティックなどにより打撃されるドラムヘッドに対応する部分であり、ＥＰＤＭゴムにより皿状に形成されている。クッション４は、打面３の下面に密着して配置され、スティックなどによる打撃の衝撃を吸収するとともに、スティックに対して適度な反発力を発生するものであり、ポリウレタン系の樹脂であるポロンにより円板状に形成されている。
【００３７】
センサプレート５は、センサ６が取付けられ、センサ６に振動を伝搬する部材であり、鉄板により円板状に形成される。センサプレート５は、その円周の縁がフレーム７により支持され、センサプレート５の中央部の下面には空間が形成されて振動するように形成されている。
【００３８】
センサ６は、ピエゾ素子により形成され、機械的振動を電気信号に変換する。センサ６は、両面テープによりセンサプレート５に貼付され、センサ６により変換された電気信号の出力は、ジャック９に接続される。
【００３９】
フレーム７は、タムパッド２５の骨格をなす部材であり、ＡＢＳ樹脂材料により略円盤状に形成されている。フレーム７の外周は、垂直に立設された円筒状に形成され、外周部の内側に、センサプレート５の円周の縁を支持するリブが形成され、リブの内側には、センサプレート５が振動する空間が設けられている。また、中心部には、センサ６の外周を囲む円筒状の貫通孔が設けられ、フレーム７がセンサ６に接触しないようにするとともに、センサ６の電気信号をジャック９に接続するリード線が挿入される。
【００４０】
クランプカバー８は、タムパッド２５をアームパイプ２０に握持するとともに、センサ出力を接続するジャック９を備える保持具であり、可撓性を有するＡＢＳ樹脂により形成される。クランプカバー８は、常時フレーム７に固定される部分である固定部８ａと、アームパイプ２０を握持する握持部８ｂとを有する。
【００４１】
固定部８ａは、３本のビス１１によりフレーム７に螺着され、固定部８ａのフレーム７に当接する側には、ジャック９がクランプカバー８の内部に収納されるように、２本のビス１２により螺着される。
【００４２】
握持部８ｂは、半円筒形であって、アームパイプ２０の外周に嵌合する嵌合部と、ボルト１０が挿入されて握持部８ｂをフレーム７に押圧する押圧部とを有し、ボルト１０がフレーム７に螺子込まれない場合は、押圧部は、フレーム７から離間し、ボルト１０がフレーム７に螺子込まれた場合は、嵌合部が撓み、押圧部がフレーム７に当接する。なお、詳細は、図４等を参照して後述するが、嵌合部には、凹凸部が形成され、アームパイプ２０に形成された溝２０ａ、または、その溝２０ａに隣接して設けられた凹凸部に嵌合する。
【００４３】
クランプカバー８をアームパイプ２０に着脱したり、クランプカバー８とアームパイプ２０との取り付け角度を調整する際には、ボルト１０が緩められ、取り付けまたは調整が完了した場合に、締め付けられる。
【００４４】
次に、図４を参照して、アームパイプ２０の詳細について説明する。図４（ａ）は、アームパイプ２０と、アームパイプ２０に形成された溝に収納されたケーブル１５とを示す斜視図であり、図４（ｂ）は、図４（ａ）に示すＡ断面（アームパイプ２０の軸心に対して垂直な平面）の断面図であり、図４（ｃ）は、溝の詳細を示す断面図である。図４（ｂ）は、ケーブル１５が収納された状態を示し、図４（ｃ）は、ケーブル１５が収納されていない状態を示す。
【００４５】
図４（ａ）に示すように、アームパイプ２０は、断面が円形の中空パイプであり、アームパイプ２０の一端には、アームキャップ２１がカ嵌合される。アームパイプ２０は、アルミニウウムをアルミ押出成型法またはアルミ引出成型法により成型される。アームパイプ２０は、センターパイプ３４に対して垂直であり、床面には水平方向に設置される。
【００４６】
図４（ｂ）および図４（ｃ）に示すように、アームパイプ２０の外周の一部に、アームパイプ２０の長手方向に沿ってケーブル１５を収納する溝２０ａが形成される。ここで使用されるケーブルの直径は、４ｍｍであり、溝２０ａは、内径が５ｍｍの略円形であり、溝２０ａの開口部２０ｃの幅は、３．９ｍｍに形成される。
【００４７】
すなわち、溝２０ａの開口部２０ｃの幅は、ケーブル１５の直径より少し狭く形成されている。ケーブル１５の被服は、弾力性のある樹脂により形成されるので、ケーブル１５を溝２０ａに沿って配置し、軽く押し込むことにより、溝２０ａ内にケーブルを収納することができる。収納されたケーブル１５は、通常状態では、振動などにより溝２０ａから離脱することはないが、軽く力を加えて引き出すことができる。
【００４８】
溝２０ａの開口部２０ｃの両側には、凸部２０ｃが形成され、その凸部に隣接して凹部２０ｄが形成されている。これらの凹凸は、クランプカバー８の嵌合部に形成された凹凸に嵌合される。このことにより、ボルト１０によりクランプカバー８がフレーム７に螺合されて、アームパイプ２０を握持した状態において、タムパッド２５が打撃されボルト１０が多少緩められた場合でも、タムパッド２５のアームパイプ２０への取付角度が変化することを防止できる。また、アームパイプ２０の径が細くてもタムパッド２５を保持するアームパイプ２０の保持力を確保することができる。
【００４９】
図５は、アームパイプ２０にタムパッド２５が取り付けられた状態を示し、図５（ａ）は、平面図を、図５（ｂ）は、平面図におけるＡ−Ａ線の断面図である。図５（ｂ）に示すように、ボルト１０がフレーム７に螺合され、クランプカバー８の固定部８ａが、フレーム７に固着されているとともに、握持部８ｂがアームパイプ２０を握持する。
【００５０】
図６は、握持部８ｂの嵌合部の詳細と、アームパイプ２０とが嵌合された状態を示すものである。図６（ａ）は、ボルト１０が緩められた状態を示す断面図であって、図６（ａ）が示すように、クランプカバー８の嵌合部には、１つの凹部８ｄの両側に凸部８ｃが形成され、この凹凸部は、アームパイプ２０に形成された凹凸部（２０ｃ、２０ｄ）から離間している。したがって、この状態では、タムパッド２５のアームパイプ２０との長手方向の位置、およびタムパッド２５のアームパイプ２０との角度を任意に変更することができる。
【００５１】
図６（ｂ）は、クランプカバー８の嵌合部の凹凸部に、アームパイプ２０の溝２０ａの下側に形成された凹凸部（２０ｃ、２０ｄ）が嵌合されて固定された状態を示し、クランプカバー８の半円筒形の嵌合部の中心線と、アームパイプ２０の中心と溝２０ａの中心とを結ぶ線とが成す角度は、１０度である。
【００５２】
図６（ｃ）は、クランプカバー８の嵌合部の凹凸部に、アームパイプ２０の溝２０ａの開口部（２０ｂ）が嵌合されて固定された状態を示し、クランプカバー８の半円筒形の嵌合部の中心線と、アームパイプ２０の中心と溝２０ａの中心とを結ぶ線とが成す角度は、２５度である。
【００５３】
図６（ｄ）は、クランプカバー８の嵌合部の凹凸部に、アームパイプ２０の溝２０ａの上側に形成された凹凸部（２０ｃ、２０ｄ）が嵌合されて固定された状態を示し、クランプカバー８の半円筒形の嵌合部の中心線と、アームパイプ２０の中心と溝２０ａの中心とを結ぶ線とが成す角度は、４０度である。
【００５４】
以上説明したように、本実施形態の電子楽器システムでは、中空パイプ２０に溝２０ａが形成され、溝２０ａの開口部２０ｂの幅は、ケーブル１５の径より少し小さく形成されているので、容易にその溝２０ａ内にケーブル１５を収納することができるとともに、ケーブル１５は、演奏などにより発生する振動などでは離脱しない。
【００５５】
また開口部２０ｂの両側には、凸部と凹部とが形成され、電子楽器を保持する保持具に形成された凸部と凹部とに嵌合される。また、開口部２０ｂにも、保持具に形成された凸部と凹部とに嵌合されるので、３種類の取付角度のうちいずれかを選択することができる。
【００５６】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００５７】
例えば、上記実施形態では、電子楽器は、電子打楽器であるドラムパッドやシンバルパッドであるとしたが、鍵盤などを備えた電子楽器であってもよい。
【００５８】
また、上記実施形態では、ケーブル１５は、センサにより検出された電気信号を音源装置へ送信するものとしたが、ＭＩＤＩ規格によるデジタルシリアル信号等を送受信し、電子楽器と他の装置とが通信を行うようにしてもよい。
【図面の簡単な説明】
【００５９】
【図１】本発明の一実施形態である電子楽器システムの正面図である。
【図２】タムパッドがアームパイプに取付られている状態を示す斜視図である。
【図３】タムパッドの分解斜視図である。
【図４】（ａ）は、アームパイプと、アームパイプに形成された溝に収納されたケーブルとを示す斜視図であり、（ｂ）は、（ａ）に示すＡ断面の断面図であり、（ｃ）は、溝の詳細を示す断面図である。
【図５】（ａ）は、アームパイプにタムパッドが取り付けられた状態を示す平面図であり、（ｂ）は、（ａ）におけるＡ−Ａ線の断面図である。
【図６】（ａ）は、クランプカバーの嵌合部に形成された凹凸部が、アームパイプに形成された凹凸部から離間している状態を示し、（ｂ）、（ｃ）、（ｄ）は、それぞれの取付角度でクランプカバーとアームパイプとが嵌合する状態を示す断面図である。
【符号の説明】
【００６０】
１            電子楽器システム
７            フレーム
８            クランプカバー
８ａ          固定部
８ｂ          握持部
８ｃ          凸部
８ｄ          凹部
１０          ボルト
１５          ケーブル
２０          アームパイプ２０
２０ａ        溝
２０ｃ        凸部
２０ｄ        凹部
２５          タムパッド
３０          音源
【図１】
2008170644.tif 000003
【図２】
2008170644.tif 000004
【図３】
2008170644.tif 000005
【図４】
2008170644.tif 000006
【図５】
2008170644.tif 000007
【図６】
2008170644.tif 000008